【手続補正書】
【提出日】平成25年3月15日(2013.3.15)
【手続補正１】
【補正対象書類名】明細書
【補正対象項目名】発明の名称
【補正方法】変更
【補正の内容】
【発明の名称】中継装置、中継装置の制御方法およびクーポン発行システムの制御方法
【手続補正２】
【補正対象書類名】明細書
【補正対象項目名】０００１
【補正方法】変更
【補正の内容】
【０００１】
本発明は、入力装置、印刷装置およびＰＯＳ端末に接続されて用いられる中継装置、中継装置の制御方法およびクーポン発行システムの制御方法に関する。
【手続補正３】
【補正対象書類名】明細書
【補正対象項目名】０００５
【補正方法】変更
【補正の内容】
【０００５】
本願発明は、上記の点に鑑み、導入コストを抑えて、クーポン発行機能を付加することができる中継装置、中継装置の制御方法およびクーポン発行システムの制御方法を提供することを課題としている。
【手続補正４】
【補正対象書類名】明細書
【補正対象項目名】０００７
【補正方法】変更
【補正の内容】
【０００７】
本発明の中継装置の制御方法は、入力装置、印刷装置およびＰＯＳ端末と接続されて用いられ、入力装置から取得した商品コードをＰＯＳ端末に出力し、当該商品コードに対応したレシート印刷データをＰＯＳ端末から取得し、当該レシート印刷データを印刷装置に出力するレシート発行制御部と、レシート印刷データに対応するクーポン印刷データを生成し、当該クーポン印刷データを印刷装置に出力するクーポン発行制御部と、現在日時を計時する計時部と、を備えた中継装置の制御方法であって、クーポン発行制御部が、入力装置から取得した商品コードに対応する使用期限情報を入力装置から取得する使用期限情報取得ステップと、取得した使用期限情報からクーポン発行期間を算出するクーポン発行期間算出ステップと、計時部により計時された現在日時が、クーポン発行期間内である場合に、クーポン印刷データを生成するクーポン印刷データ生成ステップと、生成したクーポン印刷データを印刷装置に出力するクーポン印刷データ出力ステップと、を実行することを特徴とする。
本発明のクーポン発行システムの制御方法は、入力装置、印刷装置およびＰＯＳ端末と接続されて用いられる中継装置と、入力装置と、印刷装置と、ＰＯＳ端末と、からなるクーポン発行システムの制御方法であって、中継装置が、入力装置から取得した商品コードに対応する使用期限情報を入力装置から取得する使用期限情報取得ステップと、取得した使用期限情報からクーポン発行期間を算出するクーポン発行期間算出ステップと、計時部により計時された現在日時が、クーポン発行期間内である場合に、クーポン印刷データを生成するクーポン印刷データ生成ステップと、生成したクーポン印刷データを印刷装置に出力するクーポン印刷データ出力ステップと、を実行することを特徴とする。
【手続補正５】
【補正対象書類名】明細書
【補正対象項目名】０００９
【補正方法】変更
【補正の内容】
【０００９】
上記の中継装置において、クーポン発行期間算出部は、使用期限情報から商品の販売期限を算出し、販売期限以前のクーポン発行期間を第１クーポン発行期間とし、販売期限より後のクーポン発行期間を第２クーポン発行期間とし、クーポン印刷データ生成部は、現在日時が第１クーポン発行期間内である場合と第２クーポン発行期間内である場合とで、異なる内容のクーポン印刷データを生成することが好ましい。
上記の中継装置の制御方法において、クーポン発行期間算出ステップは、使用期限情報から商品の販売期限を算出し、販売期限以前のクーポン発行期間を第１クーポン発行期間とし、販売期限より後のクーポン発行期間を第２クーポン発行期間とするステップを含み、クーポン印刷データ生成ステップは、現在日時が前記第１クーポン発行期間内である場合と第２クーポン発行期間内である場合とで、異なる内容のクーポン印刷データを生成するステップを含む、ことが好ましい。
上記のクーポン発行システムの制御方法において、クーポン発行期間算出ステップは、使用期限情報から商品の販売期限を算出し、販売期限以前のクーポン発行期間を第１クーポン発行期間とし、販売期限より後のクーポン発行期間を第２クーポン発行期間とするステップを含み、クーポン印刷データ生成ステップは、現在日時が前記第１クーポン発行期間内である場合と第２クーポン発行期間内である場合とで、異なる内容のクーポン印刷データを生成するステップを含む、ことが好ましい。
【手続補正６】
【補正対象書類名】明細書
【補正対象項目名】００１３
【補正方法】変更
【補正の内容】
【００１３】
これらの場合、クーポン印刷データ出力部は、レシート印刷データに当該レシート印刷データに対応するクーポン印刷データを付加して出力することが好ましい。
この場合、クーポン印刷データ出力部は、レシート印刷データに当該レシート印刷データに対応する使用期限情報を付加して出力することが好ましい。
【手続補正７】
【補正対象書類名】明細書
【補正対象項目名】００１９
【補正方法】変更
【補正の内容】
【００１９】
これらの場合、中継装置は、印刷装置に装着されて用いられることが好ましい。
【手続補正８】
【補正対象書類名】特許請求の範囲
【補正対象項目名】全文
【補正方法】変更
【補正の内容】
【特許請求の範囲】
【請求項１】
入力装置、印刷装置およびＰＯＳ端末と接続されて用いられる中継装置であって、
前記入力装置から取得した商品コードを前記ＰＯＳ端末に出力し、当該商品コードに対応したレシート印刷データを前記ＰＯＳ端末から取得し、当該レシート印刷データを前記印刷装置に出力するレシート発行制御部と、
前記レシート印刷データに対応するクーポン印刷データを生成し、当該クーポン印刷データを前記印刷装置に出力するクーポン発行制御部と、
現在日時を計時する計時部と、を備え、
前記クーポン発行制御部は、
前記入力装置から取得した前記商品コードに対応する使用期限情報を前記入力装置から取得する使用期限情報取得部と、
取得した前記使用期限情報からクーポン発行期間を算出するクーポン発行期間算出部と、
前記計時部により計時された現在日時が、前記クーポン発行期間内である場合に、前記クーポン印刷データを生成するクーポン印刷データ生成部と、
生成した前記クーポン印刷データを前記印刷装置に出力するクーポン印刷データ出力部と、を有していることを特徴とする中継装置。
【請求項２】
前記クーポン発行期間算出部は、前記使用期限情報から商品の販売期限を算出し、前記販売期限以前の前記クーポン発行期間を第１クーポン発行期間とし、前記販売期限より後の前記クーポン発行期間を第２クーポン発行期間とし、
前記クーポン印刷データ生成部は、前記現在日時が前記第１クーポン発行期間内である場合と前記第２クーポン発行期間内である場合とで、異なる内容の前記クーポン印刷データを生成することを特徴とする請求項１に記載の中継装置。
【請求項３】
前記クーポン印刷データは、次回以降の会計処理時において使用可能なクーポンを印刷するためのデータであることを特徴とする請求項１または２に記載の中継装置。
【請求項４】
前記クーポン印刷データ出力部は、前記レシート印刷データに当該レシート印刷データに対応する前記クーポン印刷データを付加して出力することを特徴とする請求項１ないし３のいずれか１項に記載の中継装置。
【請求項５】
前記クーポン印刷データ出力部は、前記レシート印刷データに当該レシート印刷データに対応する前記使用期限情報を付加して出力することを特徴とする請求項４に記載の中継装置。
【請求項６】
前記印刷装置は、前記レシート印刷データに基づいたレシートを発行するレシート印刷装置と、前記クーポン印刷データに基づいたクーポンを発行するクーポン印刷装置と、を含み、
前記クーポン印刷データ出力部は、前記クーポン印刷データを前記クーポン印刷装置に出力することを特徴とする請求項１ないし３のいずれか１項に記載の中継装置。
【請求項７】
前記入力装置は、前記商品コードを入力する商品コード入力装置と、前記使用期限情報を入力する使用期限情報入力装置と、を含み、
前記使用期限情報取得部は、前記使用期限情報入力装置から、前記商品コード入力装置により入力された前記商品コードに対応する前記使用期限情報を取得することを特徴とする請求項１ないし６のいずれか１項に記載の中継装置。
【請求項８】
前記印刷装置に装着されて用いられることを特徴とする請求項１ないし７のいずれか１項に記載の中継装置。
【請求項９】
入力装置、印刷装置およびＰＯＳ端末と接続されて用いられ、
前記入力装置から取得した商品コードを前記ＰＯＳ端末に出力し、当該商品コードに対応したレシート印刷データを前記ＰＯＳ端末から取得し、当該レシート印刷データを前記印刷装置に出力するレシート発行制御部と、
前記レシート印刷データに対応するクーポン印刷データを生成し、当該クーポン印刷データを前記印刷装置に出力するクーポン発行制御部と、
現在日時を計時する計時部と、を備えた中継装置の制御方法であって、
前記クーポン発行制御部が、
前記入力装置から取得した前記商品コードに対応する使用期限情報を前記入力装置から取得する使用期限情報取得ステップと、
取得した前記使用期限情報からクーポン発行期間を算出するクーポン発行期間算出ステップと、
計時部により計時された現在日時が、前記クーポン発行期間内である場合に、前記クーポン印刷データを生成するクーポン印刷データ生成ステップと、
生成した前記クーポン印刷データを前記印刷装置に出力するクーポン印刷データ出力ステップと、を実行することを特徴とする中継装置の制御方法。
【請求項１０】
前記クーポン発行期間算出ステップは、前記使用期限情報から商品の販売期限を算出し、前記販売期限以前の前記クーポン発行期間を第１クーポン発行期間とし、前記販売期限より後の前記クーポン発行期間を第２クーポン発行期間とするステップを含み、
前記クーポン印刷データ生成ステップは、前記現在日時が前記第１クーポン発行期間内である場合と前記第２クーポン発行期間内である場合とで、異なる内容の前記クーポン印刷データを生成するステップを含む、ことを特徴とする請求項９に記載の中継装置の制御方法。
【請求項１１】
入力装置、印刷装置およびＰＯＳ端末と接続されて用いられる中継装置と、前記入力装置と、前記印刷装置と、前記ＰＯＳ端末と、からなるクーポン発行システムの制御方法であって、
前記中継装置が、
前記入力装置から取得した商品コードに対応する使用期限情報を前記入力装置から取得する使用期限情報取得ステップと、
取得した前記使用期限情報からクーポン発行期間を算出するクーポン発行期間算出ステップと、
計時部により計時された現在日時が、前記クーポン発行期間内である場合に、前記クーポン印刷データを生成するクーポン印刷データ生成ステップと、
生成した前記クーポン印刷データを前記印刷装置に出力するクーポン印刷データ出力ステップと、を実行することを特徴とするクーポン発行システムの制御方法。
【請求項１２】
前記クーポン発行期間算出ステップは、前記使用期限情報から商品の販売期限を算出し、前記販売期限以前の前記クーポン発行期間を第１クーポン発行期間とし、前記販売期限より後の前記クーポン発行期間を第２クーポン発行期間とするステップを含み、
前記クーポン印刷データ生成ステップは、前記現在日時が前記第１クーポン発行期間内である場合と前記第２クーポン発行期間内である場合とで、異なる内容の前記クーポン印刷データを生成するステップを含む、ことを特徴とする請求項１１に記載のクーポン発行システムの制御方法。